(57)【要約】  本発明の実施例では、情報伝送方法、装置及びコンピュータ可読媒体を提供する。該方法は、ページングメッセージ送信を必要とする少なくとも１つのターゲットユーザ装置（ＵＥ）の関連情報に基づいて、ページングメッセージを送信することを含み、前記関連情報が同じであるターゲットＵＥに対応するページングメッセージは、同一の物理下り共有チャネル（ＰＤＳＣＨ）で搬送される。本発明の実施例によれば、より多くのユーザに通知し、ページングレイテンシを低下させることができる。
2021503745.tif 000002
【特許請求の範囲】
【請求項１】
ネットワーク側装置に適用される情報伝送方法であって、
ページングメッセージ送信を必要とする少なくとも１つターゲットユーザ装置（ＵＥ）の関連情報に基づいて、ページングメッセージを送信することを含み、前記関連情報が同じであるターゲットＵＥに対応するページングメッセージは、同一の物理下り共有チャネル（ＰＤＳＣＨ）で搬送されることを特徴とする、前記情報伝送方法。
【請求項２】
前記ターゲットＵＥに対応する関連情報は、
前記ターゲットＵＥに対応するページング無線ネットワーク一時識別子（Ｐ−ＲＮＴＩ）、前記ターゲットＵＥに対応する制御リソースセット（ＣＯＲＥＳＥＴ）又は前記ターゲットＵＥに対応するサーチスペースのうちのいずれか１つを含むことを特徴とする
請求項１に記載の情報伝送方法。
【請求項３】
前記ターゲットＵＥに対応するＰ−ＲＮＴＩ、前記ターゲットＵＥに対応するＣＯＲＥＳＥＴ又は前記ターゲットＵＥに対応するサーチスペースに対して、具体的には、
ＵＥの属性パラメータに応じて全てのターゲットＵＥをそれぞれ対応するＰ−ＲＮＴＩ、ＣＯＲＥＳＥＴ又はサーチスペースと関連付けることを含むことを特徴とする
請求項２に記載の情報伝送方法。
【請求項４】
前記情報伝送方法は、
システムメッセージ、ブロードキャストメッセージ又はＲＭＳＩを介して、対応するＰ−ＲＮＴＩ、ＣＯＲＥＳＥＴ又はサーチスペースをＵＥに通知すること、
又は、システムメッセージ、ブロードキャストメッセージ又はＲＭＳＩを介して、対応するＰ−ＲＮＴＩ、ＣＯＲＥＳＥＴ又はサーチスペースの候補セットをＵＥに通知すること、
又は、専用シグナリングを介して、対応するＰ−ＲＮＴＩ、ＣＯＲＥＳＥＴ又はサーチスペースをＵＥに通知すること、
又は、専用シグナリングを介して、対応するＰ−ＲＮＴＩ、ＣＯＲＥＳＥＴ又はサーチスペースの候補セットをＵＥに通知すること、
又は、設定した通信プロトコルの規定に応じて、ＵＥに対応するＰ−ＲＮＴＩ又はＰ−ＲＮＴＩの候補セットを決定することを更に含むことを特徴とする
請求項２に記載の情報伝送方法。
【請求項５】
前記ページングメッセージ送信を必要とする少なくとも１つターゲットユーザ装置（ＵＥ）の関連情報に基づいて、ページングメッセージを送信することは、
全てのページングメッセージにおいて、関連情報が同じであるターゲットＵＥに対応するページングメッセージを同一の物理下り共有チャネル（ＰＤＳＣＨ）で搬送することを含み、前記ＰＤＳＣＨのそれぞれに対応する物理下り制御シグナリング（ＤＣＩ）は、ターゲットＵＥに対応する関連情報に対応することを特徴とする
請求項１から４のうちいずれか一項に記載の情報伝送方法。
【請求項６】
前記情報伝送方法は、
前記設定したスケジューリングポリシーに応じて、前記ＰＤＳＣＨの周波数領域リソースをスケジューリングし、スケジューリング指示情報を生成することを更に含むことを特徴とする
請求項５に記載の情報伝送方法。
【請求項７】
前記設定したスケジューリングポリシーに応じて、前記ＰＤＳＣＨの周波数領域リソースをスケジューリングし、スケジューリング指示情報を生成することは、
ページングメッセージを搬送するＰＤＳＣＨ伝送の周波数領域帯域幅を最小帯域幅以下にスケジューリングすることと、
ページングメッセージを搬送するＰＤＳＣＨ伝送の周波数領域位置を前記ターゲットＵＥの現在の最小周波数領域範囲内にスケジューリンすることと、
前記スケジューリング指示情報を生成することであって、前記スケジューリング指示情報により指示されるＰＤＳＣＨの周波数領域帯域幅は最小帯域幅以下であり、且つ前記ＰＤＳＣＨの周波数領域位置は、前記ターゲットＵＥの現在の最小周波数領域範囲内にあることと、を含むことを特徴とする
請求項６に記載の情報伝送方法。
【請求項８】
前記設定したスケジューリングポリシーに応じて、前記ＰＤＳＣＨの周波数領域リソースをスケジューリングし、スケジューリング指示情報を生成することは、
ページングメッセージを搬送するＰＤＳＣＨ伝送の周波数領域帯域幅を最小帯域幅以下にスケジューリングすることと、
ページングメッセージを搬送するＰＤＳＣＨ伝送の周波数領域位置のうちの一部の周波数領域位置を前記ターゲットＵＥの現在の最小周波数領域範囲内にスケジューリンし、前記ＰＤＳＣＨの周波数領域位置のうちの別の一部の周波数領域位置を前記ターゲットＵＥの現在の最小周波数領域範囲外にスケジューリングし、又は、前記ＰＤＳＣＨの周波数領域位置を前記ターゲットＵＥの現在の最小周波数領域範囲外にスケジューリングすることと、
前記スケジューリング指示情報を生成することであって、前記スケジューリング指示情報により指示される前記ＰＤＳＣＨの周波数領域帯域幅は前記最小帯域幅以下であり、且つ前記ＰＤＳＣＨの周波数領域位置のうちの一部の周波数領域位置は、前記ターゲットＵＥの現在の最小周波数領域範囲内にあり、前記ＰＤＳＣＨの周波数領域位置のうちの別の一部の周波数領域位置は、前記ターゲットＵＥの現在の最小周波数領域範囲外にあり、又は、前記ＰＤＳＣＨを指示するための周波数領域帯域幅は最小帯域幅であり、且つ前記ＰＤＳＣＨの周波数領域位置は、前記ターゲットＵＥの現在の最小周波数領域範囲外にあることと、を含むことを特徴とする
請求項６に記載の情報伝送方法。
【請求項９】
前記情報伝送方法は、
設定した時間間隔設定ポリシーに応じて、前記ＤＣＩと前記ＰＤＳＣＨとの間の時間間隔を設定することを更に含み、前記ＤＣＩは、前記ＤＣＩと前記ＰＤＳＣＨとの間の時間間隔を指示することができることを特徴とする
請求項６から８のうちいずれか一項に記載の情報伝送方法。
【請求項１０】
前記設定したスケジューリングポリシーに応じて、前記ＰＤＳＣＨの周波数領域リソースをスケジューリングし、スケジューリング指示情報を生成することは、
ページングメッセージを搬送する一部のＰＤＳＣＨ伝送の周波数領域帯域幅をターゲットＵＥの実際の帯域幅又は報告された帯域幅以下にスケジューリングすることと、
前記スケジューリング指示情報を生成することであって、前記スケジューリング指示情報により指示される前記一部のＰＤＳＣＨの周波数領域帯域幅はターゲットＵＥの実際の帯域幅又は報告された帯域幅以下であることと、を含むことを特徴とする
請求項６に記載の情報伝送方法。
【請求項１１】
前記一部のＰＤＳＣＨ伝送の周波数領域帯域幅がターゲットＵＥの実際の帯域幅又は報告された帯域幅以下にスケジューリングされるため、前記情報伝送方法は、
前記ターゲットＵＥの実際の帯域幅能力又は報告された帯域幅を他のネットワーク側装置とインタラクションすることを更に含むことを特徴とする
請求項１０に記載の情報伝送方法。
【請求項１２】
ユーザ装置（ＵＥ）に適用される情報伝送方法であって、
自体の関連情報に基づいて、自体に対応するページングメッセージを受信することを含むことを特徴とする、前記方法。
【請求項１３】
前記関連情報は、
前記ＵＥに対応するＰ−ＲＮＴＩ、前記ＵＥに対応するＣＯＲＥＳＥＴ又は前記ＵＥに対応するサーチスペースのうちの少なくとも１つを含むことを特徴とする
請求項１２に記載の情報伝送方法。
【請求項１４】
前記情報伝送方法は、
システムメッセージ、ブロードキャストメッセージ又はＲＭＳＩにより、対応するＰ−ＲＮＴＩ、ＣＯＲＥＳＥＴ又はサーチスペースを決定すること、
又は、システムメッセージ、ブロードキャストメッセージ又はＲＭＳＩにより、対応するＰ−ＲＮＴＩ、ＣＯＲＥＳＥＴ又はサーチスペースの候補セットを決定すること、
又は、専用シグナリングにより、対応するＰ−ＲＮＴＩ、ＣＯＲＥＳＥＴ又はサーチスペースを決定すること、
又は、専用シグナリングにより、対応するＰ−ＲＮＴＩ、ＣＯＲＥＳＥＴ又はサーチスペースの候補セットを決定すること、
又は、設定した通信プロトコルの規定に応じて、前記ＵＥに対応するＰ−ＲＮＴＩ又はＰ−ＲＮＴＩの候補セットを決定することを更に含むことを特徴とする
請求項１３に記載の情報伝送方法。
【請求項１５】
前記自体の関連情報に基づいて、自体に対応するページングメッセージを受信することは、
対応する関連情報に基づいて、対応する下り制御シグナリング（ＤＣＩ）を受信することと、
前記ＤＣＩに応じて、対応するＰＤＳＣＨを受信することと、
前記ＰＤＳＣＨからページングメッセージを取得することと、を含むことを特徴とする
請求項１２に記載の情報伝送方法。
【請求項１６】
前記対応する関連情報に基づいて、対応する下り制御シグナリング（ＤＣＩ）を受信することは、
自体のページング時点（ＰＯ）で、自体の関連情報に基づいて、ネットワーク側から送信された対応するＤＣＩを検出し、対応するＤＣＩを受信することを含むことを特徴とする
請求項１５に記載の情報伝送方法。
【請求項１７】
前記ＤＣＩに応じて、対応するＰＤＳＣＨを受信することは、
前記ＤＣＩで搬送されるＰＤＳＣＨのスケジューリング指示情報に応じて、前記ＤＣＩに対応するＰＤＳＣＨを受信することを含むことを特徴とする
請求項１５に記載の情報伝送方法。
【請求項１８】
前記ＤＣＩで搬送されるＰＤＳＣＨのスケジューリング指示情報に応じて、前記ＤＣＩに対応するＰＤＳＣＨを受信することは、
最小帯域幅に応じて、前記ＵＥの現在の最小周波数領域範囲内で前記ＰＤＳＣＨを受信することを含むことを特徴とする
請求項１７に記載の情報伝送方法。
【請求項１９】
前記ＤＣＩで搬送されるＰＤＳＣＨのスケジューリング指示情報に応じて、前記ＤＣＩに対応するＰＤＳＣＨを受信することは、
最小帯域幅に応じて、前記ＵＥの現在の最小周波数領域範囲内及び前記ＵＥの現在の最小周波数領域帯域幅範囲外で前記ＰＤＳＣＨを受信すること、
又は、最小帯域幅に応じて、前記ＵＥの現在の最小周波数領域範囲外で前記ＰＤＳＣＨを受信することを含むことを特徴とする
請求項１７に記載の情報伝送方法。
【請求項２０】
対応する関連情報に基づいて、対応する下り制御シグナリング（ＤＣＩ）を受信した後、前記情報伝送方法は、
前記ＵＥの現在の帯域幅が最小周波数領域範囲内にある場合、前記ＰＤＳＣＨのスケジューリング指示情報により指示される時間間隔内で無線周波数（ＲＦ）を調整（ｔｕｎｅ）することを更に含むことを特徴とする
請求項１９に記載の情報伝送方法。
【請求項２１】
前記ＤＣＩで搬送されるＰＤＳＣＨのスケジューリング指示情報に応じて、前記ＤＣＩに対応するＰＤＳＣＨを受信することは、
自体の実際の帯域幅以下又は報告された帯域幅以下の帯域幅に応じて、一部のＰＤＳＣＨを受信することを含むことを特徴とする
請求項１７に記載の情報伝送方法。
【請求項２２】
ネットワーク側装置であって、
ページングメッセージ送信を必要とする少なくとも１つターゲットユーザ装置（ＵＥ）の関連情報に基づいて、ページングメッセージを送信するように構成される送信部を備え、前記関連情報が同じであるターゲットＵＥに対応するページングメッセージは、同一の物理下り共有チャネル（ＰＤＳＣＨ）で搬送されることを特徴とする、前記ネットワーク側装置。
【請求項２３】
前記ターゲットＵＥに対応する関連情報は、
前記ターゲットＵＥに対応するページング無線ネットワーク一時識別子（Ｐ−ＲＮＴＩ）、前記ターゲットＵＥに対応する制御リソースセット（ＣＯＲＥＳＥＴ）又は前記ターゲットＵＥに対応するサーチスペースのうちのいずれか１つを含むことを特徴とする
請求項２２に記載のネットワーク側装置。
【請求項２４】
前記送信部は更に、
システムメッセージ、ブロードキャストメッセージ又はＲＭＳＩを介して、対応するＰ−ＲＮＴＩ、ＣＯＲＥＳＥＴ又はサーチスペースをＵＥに通知すること、
又は、システムメッセージ、ブロードキャストメッセージ又はＲＭＳＩを介して、対応するＰ−ＲＮＴＩ、ＣＯＲＥＳＥＴ又はサーチスペースの候補セットをＵＥに通知すること、
又は、専用シグナリングを介して、対応するＰ−ＲＮＴＩ、ＣＯＲＥＳＥＴ又はサーチスペースをＵＥに通知すること、
又は、専用シグナリングを介して、対応するＰ−ＲＮＴＩ、ＣＯＲＥＳＥＴ又はサーチスペースの候補セットをＵＥに通知すること、
又は、設定した通信プロトコルの規定に応じて、ＵＥに対応するＰ−ＲＮＴＩ又はＰ−ＲＮＴＩの候補セットを決定することを実行するように構成されることを特徴とする
請求項２３に記載のネットワーク側装置。
【請求項２５】
前記送信部は、
全てのページングメッセージにおいて、関連情報が同じであるターゲットＵＥに対応するページングメッセージを同一の物理下り共有チャネル（ＰＤＳＣＨ）で搬送するように構成され、前記ＰＤＳＣＨのそれぞれに対応する物理下り制御シグナリング（ＤＣＩ）は、ターゲットＵＥに対応する関連情報に対応することを特徴とする
請求項２２から２４のうちいずれか一項に記載のネットワーク側装置。
【請求項２６】
前記送信部は更に、設定したスケジューリングポリシーに応じて、前記ＰＤＳＣＨの周波数領域リソースをスケジューリングし、スケジューリング指示情報を生成するように構成されることを特徴とする
請求項２５に記載のネットワーク側装置。
【請求項２７】
前記送信部は具体的には、
ページングメッセージを搬送するＰＤＳＣＨ伝送の周波数領域帯域幅を最小帯域幅以下にスケジューリングすることと、
ページングメッセージを搬送するＰＤＳＣＨ伝送の周波数領域位置を前記ターゲットＵＥの現在の最小周波数領域範囲内にスケジューリンすることと、
前記スケジューリング指示情報を生成することであって、前記スケジューリング指示情報により指示されるＰＤＳＣＨの周波数領域帯域幅は最小帯域幅以下であり、且つ前記ＰＤＳＣＨの周波数領域位置は、前記ターゲットＵＥの現在の最小周波数領域範囲内にあることと、を実行するように構成されることを特徴とする
請求項２６に記載のネットワーク側装置。
【請求項２８】
前記送信部は具体的には、
ページングメッセージを搬送するＰＤＳＣＨ伝送の周波数領域帯域幅を最小帯域幅以下にスケジューリングすることと、
ページングメッセージを搬送するＰＤＳＣＨ伝送の周波数領域位置のうちの一部の周波数領域位置を前記ターゲットＵＥの現在の最小周波数領域範囲内にスケジューリンし、前記ＰＤＳＣＨの周波数領域位置のうちの別の一部の周波数領域位置を前記ターゲットＵＥの現在の最小周波数領域範囲外にスケジューリングし、又は、前記ＰＤＳＣＨの周波数領域位置を前記ターゲットＵＥの現在の最小周波数領域範囲外にスケジューリングすることと、
前記スケジューリング指示情報を生成することであって、前記スケジューリング指示情報により指示される前記ＰＤＳＣＨの周波数領域帯域幅は前記最小帯域幅以下であり、且つ前記ＰＤＳＣＨの周波数領域位置のうちの一部の周波数領域位置は、前記ターゲットＵＥの現在の最小周波数領域範囲内にあり、前記ＰＤＳＣＨの周波数領域位置のうちの別の一部の周波数領域位置は、前記ターゲットＵＥの現在の最小周波数領域範囲外にあり、又は、前記ＰＤＳＣＨを指示するための周波数領域帯域幅は最小帯域幅であり、且つ前記ＰＤＳＣＨの周波数領域位置は、前記ターゲットＵＥの現在の最小周波数領域範囲外にあることと、を実行するように構成されることを特徴とする
請求項２６に記載のネットワーク側装置。
【請求項２９】
前記送信部は更に、設定した時間間隔設定ポリシーに応じて、前記ＤＣＩと前記ＰＤＳＣＨとの間の時間間隔を設定するように構成され、前記ＤＣＩは、前記ＤＣＩと前記ＰＤＳＣＨとの間の時間間隔を指示することができることを特徴とする
請求項２６から２８のうちいずれか一項に記載のネットワーク側装置。
【請求項３０】
前記送信部は具体的には、
ページングメッセージを搬送する一部のＰＤＳＣＨ伝送の周波数領域帯域幅をターゲットＵＥの実際の帯域幅又は報告された帯域幅以下にスケジューリングすることと、
前記スケジューリング指示情報を生成することであって、前記スケジューリング指示情報により指示される前記一部のＰＤＳＣＨの周波数領域帯域幅はターゲットＵＥの実際の帯域幅又は報告された帯域幅以下であることと、を実行するように構成されることを特徴とする
請求項２６に記載のネットワーク側装置。
【請求項３１】
前記送信部は更に、前記ターゲットＵＥの実際の帯域幅能力又は報告された帯域幅を他のネットワーク側装置とインタラクションするように構成されることを特徴とする
請求項３０に記載のネットワーク側装置。
【請求項３２】
ユーザ装置（ＵＥ）であって、
自体の関連情報に基づいて、自体に対応するページングメッセージを受信するように構成される受信部を備える、前記ユーザ装置（ＵＥ）。
【請求項３３】
前記関連情報は、
前記ＵＥに対応するＰ−ＲＮＴＩ、前記ＵＥに対応するＣＯＲＥＳＥＴ又は前記ＵＥに対応するサーチスペースのうちの少なくとも１つを含むことを特徴とする
請求項３２に記載のＵＥ。
【請求項３４】
前記受信部は更に、
システムメッセージ、ブロードキャストメッセージ又はＲＭＳＩにより、対応するＰ−ＲＮＴＩ、ＣＯＲＥＳＥＴ又はサーチスペースを決定すること、
又は、システムメッセージ、ブロードキャストメッセージ又はＲＭＳＩにより、対応するＰ−ＲＮＴＩ、ＣＯＲＥＳＥＴ又はサーチスペースの候補セットを決定すること、
又は、専用シグナリングにより、対応するＰ−ＲＮＴＩ、ＣＯＲＥＳＥＴ又はサーチスペースを決定すること、
又は、専用シグナリングにより、対応するＰ−ＲＮＴＩ、ＣＯＲＥＳＥＴ又はサーチスペースの候補セットを決定すること、
又は、設定した通信プロトコルの規定に応じて、前記ＵＥに対応するＰ−ＲＮＴＩ又はＰ−ＲＮＴＩの候補セットを決定することを実行するように構成されることを特徴とする
請求項３３に記載のＵＥ。
【請求項３５】
前記受信部は具体的には、
対応する関連情報に基づいて、対応する下り制御シグナリング（ＤＣＩ）を受信することと、
前記ＤＣＩに応じて、対応するＰＤＳＣＨを受信することと、
前記ＰＤＳＣＨからページングメッセージを取得することと、を実行するように構成されることを特徴とする
請求項３２に記載のＵＥ。
【請求項３６】
前記受信部は具体的には、
自体のページング時点（ＰＯ）で、自体の関連情報に基づいて、ネットワーク側から送信された対応するＤＣＩを検出し、対応するＤＣＩを受信するように構成されることを特徴とする
請求項３５に記載のＵＥ。
【請求項３７】
前記受信部は具体的には、
前記ＤＣＩで搬送されるＰＤＳＣＨのスケジューリング指示情報に応じて、前記ＤＣＩに対応するＰＤＳＣＨを受信するように構成されることを特徴とする
請求項３５に記載のＵＥ。
【請求項３８】
前記受信部は具体的には、最小帯域幅に応じて、前記ＵＥの現在の最小周波数領域範囲内で前記ＰＤＳＣＨを受信するように構成されることを特徴とする
請求項３７に記載のＵＥ。
【請求項３９】
前記受信部は具体的には、
最小帯域幅に応じて、前記ＵＥの現在の最小周波数領域範囲内及び前記ＵＥの現在の最小周波数領域帯域幅範囲外で前記ＰＤＳＣＨを受信すること、
又は、最小帯域幅に応じて、前記ＵＥの現在の最小周波数領域範囲外で前記ＰＤＳＣＨを受信することを実行するように構成されることを特徴とする
請求項３７に記載のＵＥ。
【請求項４０】
前記受信部は更に、
前記ＵＥの現在の帯域幅が最小周波数領域範囲内にある場合、前記ＰＤＳＣＨのスケジューリング指示情報により指示される時間間隔内で無線周波数（ＲＦ）を調整（ｔｕｎｅ）するように構成されることを特徴とする
請求項３９に記載のＵＥ。
【請求項４１】
前記受信部は具体的には、自体の実際の帯域幅又は報告された帯域幅以下の帯域幅に応じて、一部のＰＤＳＣＨを受信するように構成されることを特徴とする
請求項３７に記載のＵＥ。
【請求項４２】
第１ネットワークインタフェースと、第１メモリと、第１プロセッサとを備えるネットワーク側装置であって、
前記第１ネットワークインタフェースは、他の外部ネットワーク要素との情報送受信プロセスにおいて、信号を送受信するように構成され、
前記第１メモリは、前記第１プロセッサ上で実行できるコンピュータプログラムを記憶するように構成され、
前記第１プロセッサは、前記コンピュータプログラムを実行する時、請求項１から１１のうちいずれか一項に記載の情報伝送方法の工程を実行するように構成される、前記ネットワーク側装置。
【請求項４３】
第２ネットワークインタフェースと、第２メモリと、第２プロセッサとを備えるユーザ装置（ＵＥ）であって、
前記第２ネットワークインタフェースは、他の外部ネットワーク要素との情報送受信プロセスにおいて、信号を送受信するように構成され、
前記第２メモリは、前記第２プロセッサ上で実行できるコンピュータプログラムを記憶するように構成され、
前記第２プロセッサは、前記コンピュータプログラムを実行する時に、請求項１２から２１のうちいずれか一項に記載の情報伝送方法の工程を実行するように構成される、前記ユーザ装置（ＵＥ）。
【請求項４４】
情報伝送プログラムを記憶するコンピュータ可読媒体であって、
前記情報伝送プログラムが少なくとも１つのプロセッサにより実行される時に、請求項１から１１のうちいずれか一項又は請求項１２から２１のうちいずれか一項に記載の情報伝送方法の工程を実現させる、前記コンピュータ可読媒体。
【発明の詳細な説明】
【技術分野】
【０００１】
本発明の実施例は、無線通信技術分野に関し、特に、情報伝送方法、装置及びコンピュータ可読媒体に関する。
【背景技術】
【０００２】
通信技術の進歩に伴い、第５世代移動通信技術（５Ｇ：５ｔｈ  Ｇｅｎｅｒａｔｉｏｎ）の検討も進められている。５Ｇによる無線アクセスは、Ｎｅｗ  Ｒａｄｉｏと呼ばれ、ＮＲと略称される。ＮＲ／５Ｇシステムにおいて、マルチビームＭｕｌｔｉｐｌｅ  ｂｅａｍｓ技術が適用されるため、ユーザ装置（ＵＥ：Ｕｓｅｒ  Ｅｑｕｉｐｍｅｎｔ）をページングするために、ネットワーク側は、ビームスィーピングｂｅａｍ  ｓｗｅｅｐｉｎｇの方式でページング（ｐａｇｉｎｇ）メッセージをＵＥに送信する。つまり、ネットワーク側は、異なるアナログビームｂｅａｍにおいてページング（ｐａｇｉｎｇ）メッセージを送信する必要がある。スウィーピング（ｓｗｅｅｐｉｎｇ）を必要とするｂｅａｍの数がＮである場合、ネットワーク側は、ｐａｇｉｎｇメッセージをＮ回繰り返し送信する必要があるため、ｐａｇｉｎｇレイテンシが増大される。また、更に言えば、単一のｐａｇｉｎｇメッセージが一度だけ全てのユーザ装置に送信されることができない場合、複数のｐａｇｉｎｇメッセージを送信する必要がある。また、ｓｗｅｅｐｉｎｇを必要とするＮ個のｂｅａｍが存在するため、ｐａｇｉｎｇレイテンシが更に増大される。
【発明の概要】
【発明が解決しようとする課題】
【０００３】
上記技術的課題を解決するために、本発明の実施例は、情報伝送方法、装置及びコンピュータ可読媒体を提供して、ページング（ｐａｇｉｎｇ）レイテンシを低下させることが望ましい。
【課題を解決するための手段】
【０００４】
本発明の実施例の技術的解決手段は、以下のように実現される。
【０００５】
第１態様によれば、本発明の実施例は、情報伝送方法を提供し、前記方法は、ネットワーク側装置に適用され、前記方法は、
ページングメッセージ送信を必要とする少なくとも１つターゲットユーザ装置（ＵＥ）の関連情報に基づいて、ページングメッセージを送信することを含み、前記関連情報が同じであるターゲットＵＥに対応するページングメッセージは、同一の物理下り共有チャネル（ＰＤＳＣＨ）で搬送される。
【０００６】
第２態様によれば、本発明の実施例は、情報伝送方法を提供し、前記方法は、ユーザ装置（ＵＥ）に適用され、前記方法は、
自体の関連情報に基づいて、自体に対応するページングメッセージを受信することを含む。
【０００７】
第３態様によれば、本発明の実施例は、ネットワーク側装置を提供し、前記ネットワーク側装置は、ページングメッセージ送信を必要とする少なくとも１つターゲットユーザ装置（ＵＥ）の関連情報に基づいて、ページングメッセージを送信するように構成される送信部を備え、前記関連情報が同じであるターゲットＵＥに対応するページングメッセージは、同一の物理下り共有チャネル（ＰＤＳＣＨ）で搬送される。
【０００８】
第４態様によれば、本発明の実施例は、自体の関連情報に基づいて、自体に対応するページングメッセージを受信するように構成される受信部を備えるユーザ装置（ＵＥ）を提供する。
【０００９】
第５態様によれば、本発明の実施例は、ネットワーク側装置を提供し、該ネットワーク側装置は、第１ネットワークインタフェースと、第１メモリと、第１プロセッサとを備え、
前記第１ネットワークインタフェースは、他の外部ネットワーク要素との情報送受信プロセスにおいて、信号を送受信するように構成され、
前記第１メモリは、前記第１プロセッサ上で実行できるコンピュータプログラムを記憶するように構成され、
前記第１プロセッサは、前記コンピュータプログラムを実行する時、第１態様に記載の情報伝送方法の工程を実行するように構成される。
【００１０】
第６態様によれば、本発明の実施例は、ユーザ装置（ＵＥ）を提供し、該ユーザ装置（ＵＥ）は、第２ネットワークインタフェースと、第２メモリと、第２プロセッサとを備え、
前記第２ネットワークインタフェースは、他の外部ネットワーク要素との情報送受信プロセスにおいて、信号を送受信するように構成され、
前記第２メモリは、前記第２プロセッサ上で実行できるコンピュータプログラムを記憶するように構成され、
前記第２プロセッサは、前記コンピュータプログラムを実行する時、第２態様に記載の情報伝送方法の工程を実行するように構成される。
【００１１】
第７態様によれば、本発明の実施例は、コンピュータ可読媒体を提供し、前記コンピュータ可読媒体に情報伝送プログラムが記憶されており、  前記情報伝送プログラムが少なくとも１つのプロセッサにより実行される時、第１態様又は第２態様に記載の情報伝送方法の工程を実現させる。
【発明の効果】
【００１２】
本発明の実施例では、情報伝送方法、装置及びコンピュータ可読媒体を提供し、同一の時点で複数のＤＣＩを送信する。単一のＤＣＩが、１つのｐａｇｉｎｇ  ｍｅｓｓａｇｅを搬送するために１つのみのＰＤＳＣＨを割り当てスケジューリングするが、該ｐａｇｉｎｇ  ｍｅｓｓａｇｅには、複数のＵＥに対するページング通知が依然として含まれると、同じ時間内で、現在のＬＴＥ関連技術よりも多くのユーザに通知できる。従って、ページングレイテンシを低下させることができる。なお、ＵＥを最小ＵＥ帯域幅範囲外にスケジューリングしてＰＤＳＣＨを受信し、ページングに使用可能な周波数領域リソースを増加させることにより、スケジューリング機会を増加させることで、ページングレイテンシを更に低下させることができる。
【図面の簡単な説明】
【００１３】
【図１】本発明の実施例が提供する情報伝送方法を示すフローチャートである。
【図２】本発明の実施例が提供する対応関係を示す概略図である。
【図３】本発明の実施例が提供するＰＤＳＣＨスケジューリングを示す概略図である。
【図４】本発明の実施例が提供するＰＤＳＣＨスケジューリングを示す概略図である。
【図５】本発明の実施例が提供するＰＤＳＣＨスケジューリングを示す概略図である。
【図６】本発明の実施例が提供する別の情報伝送方法を示すフローチャートである。
【図７】本発明の実施例が提供するネットワーク側装置の構成を示す概略図である。
【図８】本発明の実施例が提供するネットワーク側装置のハードウェア構成を示す概略図である。
【図９】本発明の実施例が提供するユーザ装置の構成を示す概略図である。
【図１０】本発明の実施例が提供するユーザ装置のハードウェア構成を示す概略図である。
【発明を実施するための形態】
【００１４】
本発明の実施例の特徴及び技術的要旨をより完全に理解するために、以下、図面を参照しつつ、本発明の実施例の実現を詳細に説明し、添付される図面は、参照のためのものに過ぎず、本発明の実施例を限定するものではない。
【００１５】
現在のＬＴＥ関連技術では、システムにおいて、ページング無線ネットワーク一時識別子（Ｐ−ＲＮＴＩ：Ｐａｇｉｎｇ−Ｒａｄｉｏ  Ｎｅｔｗｏｒｋ  Ｔｅｍｐｏｒｙ  Ｉｄｅｎｔｉｔｙ）でスクランブリングされた物理下り制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）から送信される下り制御シグナリング（ＤＣＩ）により、１つの物理下り共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）をスケジューリングし、且つ単一のＰＤＳＣＨで１つのｐａｇｉｎｇ  ｍｅｓｓａｇｅを搬送する。該ｐａｇｉｎｇ  ｍｅｓｓａｇｅには、複数のＵＥに対するページング通知が含まれてもよい。これに基づいて、５Ｇ／ＮＲシステムにおいて、本発明の実施例の技術的解決手段は、同一の時点で複数のＤＣＩを送信することができる。単一のＤＣＩが、１つのｐａｇｉｎｇ  ｍｅｓｓａｇｅを搬送するために１つのみのＰＤＳＣＨを割り当てスケジューリングするが、該ｐａｇｉｎｇ  ｍｅｓｓａｇｅには、複数のＵＥに対するページング通知が依然として含まれると、現在のＬＴＥ関連技術に比べて、同じ時間内でより多くのユーザに通知できる。なお、ＵＥを最小ＵＥ帯域幅範囲外にスケジューリングしてＰＤＳＣＨを受信し、ページングに使用可能な周波数領域リソースを増加させることにより、スケジューリング機会を増加させることで、ページングレイテンシを更に低下させることができる。
【００１６】
以上を踏まえ、以下、複数の非典型的な実施例により、本発明の実施例の技術的解決手段を説明する。
【００１７】
実施例１
本発明の実施例が提供する情報伝送方法を示す図１を参照すると、該方法は、ユーザ装置（ＵＥ）に対してページングを行う、５Ｇ基地局ｇＮＢ等のようなネットワーク側装置に適用可能であり、該方法は、以下を含むことができる。
【００１８】
Ｓ１０１において、ページングメッセージ送信を必要とする少なくとも１つターゲットユーザ装置（ＵＥ）の関連情報に基づいて、ページングメッセージを送信し、前記関連情報が同じであるターゲットＵＥに対応するページングメッセージは、同一の物理下り共有チャネル（ＰＤＳＣＨ）で搬送される。
【００１９】
現在の時点で、ネットワーク側装置は、ページングメッセージを送信する時、関連情報が同じであるターゲットＵＥに対応するページングメッセージを同一のＤＣＩ内にカプセル化するため、複数のＤＣＩを同時に送信できると、同じ時間内で複数のＰＤＳＣＨを送信でき、より多くのユーザに通知できることにより、ページングレイテンシを低下させることができることに留意されたい。
【００２０】
図１に示した技術的解決手段について、前記ターゲットＵＥの関連情報は、前記ターゲットＵＥに対応するページング無線ネットワーク一時識別子（Ｐ−ＲＮＴＩ）、前記ターゲットＵＥに対応する制御リソースセット（ＣＯＲＥＳＥＴ：Ｃｏｎｔｒｏｌ  Ｒｅｓｏｕｒｃｅ  ＳＥＴ）又は前記ターゲットＵＥに対応するサーチスペースのうちのいずれか１つを含む。
【００２１】
好ましくは、上記関連情報について、ＵＥの属性パラメータに応じて、全てのターゲットＵＥをそれぞれ対応するＰ−ＲＮＴＩ、ＣＯＲＥＳＥＴ又はサーチスペースと関連付けることができる。
【００２２】
具体的な実現プロセスにおいて、ＵＥの属性パラメータに応じて、全てのＵＥを分類し、少なくとも１つのＵＥカテゴリを得た後、各ＵＥカテゴリに対して、対応するＰ−ＲＮＴＩ、ＣＯＲＥＳＥＴ又はサーチスペースを設定することができる。例えば、ＵＥの属性パラメータは、ＵＥの識別子、ＵＥのカテゴリ、ＵＥの能力情報等のような、ＵＥを特定の分類ポリシーに応じて分類できるＵＥの属性パラメータのうちの少なくとも１つを含むことができる。
【００２３】
上記具体的な実現プロセスから分かるように、ＵＥと関連情報との対応関係は、単一の前記ターゲットＵＥについて、単一のＰ−ＲＮＴＩ、ＣＯＲＥＳＥＴ又はサーチスペースのみがそれに対応するという対応関係、単一のＰ−ＲＮＴＩ、ＣＯＲＥＳＥＴ又はサーチスペースについて、少なくとも１つのターゲットＵＥがそれに対応するという対応関係であってもよい。図２に示すように、関連情報がＰ−ＲＮＴＩであり、ＵＥの数が５である。ＵＥの属性パラメータに応じて分類した後、ＵＥ＃１、ＵＥ＃３、ＵＥ＃４は、同一のＰ−ＲＮＴＩ＃１に対応し、ＵＥ＃２及びＵＥ＃５は同一のＰ−ＲＮＴＩ＃２に対応することが明らかである。
【００２４】
上記ターゲットＵＥの関連情報に基づいて、好ましくは、図１に示した技術的解決手段は、ＵＥに関連情報を通知するプロセスを含んでもよく、具体的には、
システムメッセージ、ブロードキャストメッセージ又はＲＭＳＩを介して、対応するＰ−ＲＮＴＩ、ＣＯＲＥＳＥＴ又はサーチスペースをＵＥに通知すること、
又は、システムメッセージ、ブロードキャストメッセージ又はＲＭＳＩを介して、対応するＰ−ＲＮＴＩ、ＣＯＲＥＳＥＴ又はサーチスペースの候補セットをＵＥに通知すること、
又は、専用シグナリングを介して、対応するＰ−ＲＮＴＩ、ＣＯＲＥＳＥＴ又はサーチスペースをＵＥに通知すること、
又は、専用シグナリングを介して、対応するＰ−ＲＮＴＩ、ＣＯＲＥＳＥＴ又はサーチスペースの候補セットをＵＥに通知すること、
又は、設定した通信プロトコルの規定に応じて、ＵＥに対応するＰ−ＲＮＴＩ又はＰ−ＲＮＴＩの候補セットを決定することを含む。
【００２５】
対応するＰ−ＲＮＴＩ、ＣＯＲＥＳＥＴ又はサーチスペースの候補セットをＵＥに送信することで、ＵＥが候補セットから自体に対応するＰ−ＲＮＴＩ、ＣＯＲＥＳＥＴ又はサーチスペースを選択するようにすることができる。
【００２６】
図１に示した技術的解決手段について、ページングメッセージ送信を必要とする少なくとも１つターゲットユーザ装置（ＵＥ）の関連情報に基づいて、ページングメッセージを送信することは、
全てのページングメッセージにおいて、関連情報が同じであるターゲットＵＥに対応するページングメッセージを同一の物理下り共有チャネル（ＰＤＳＣＨ）で搬送し、前記ＰＤＳＣＨのそれぞれに対応する物理下り制御シグナリング（ＤＣＩ：Ｄｏｗｎｌｉｎｋ  Ｃｏｎｔｒｏｌ  Ｉｎｆｏｒｍａｔｉｏｎ）は、ターゲットＵＥに対応する関連情報に対応することを含む。
【００２７】
以上より、Ｐ−ＲＮＴＩを例として、ネットワーク側装置が現在、ページングを必要とするターゲットＵＥに応じて、送信される必要があるページングメッセージｐａｇｉｎｇ  ｍｅｓｓａｇｅを決定し、続いて、ターゲットＵＥが異なるため、ネットワーク側装置は、ページングメッセージｐａｇｉｎｇ  ｍｅｓｓａｇｅを搬送する少なくとも１つのＰＤＳＣＨを同一の時点で送信することで、数がＰＤＳＣＨの数に対応するＤＣＩが発生し、各ＤＣＩが異なるＰ−ＲＮＴＩに対応し、つまり、異なるターゲットＵＥについて区分することができることが理解されるべきである。
【００２８】
ＵＥについて、自体のページング時点（ＰＯ：Ｐａｇｉｎｇ  Ｏｃｃａｓｉｏｎ）で自体に対応するＰ−ＲＮＴＩに応じて、ネットワーク側からのＤＩＣには自己宛のＤＣＩが存在するかどうかを検出できるため、ターゲットＵＥについて、ネットワーク側装置から複数のＤＣＩが同時に送信されたが、各ターゲットＵＥは依然として１つのＤＣＩをモニターｍｏｎｉｔｏｒする必要がある。従って、ＵＥ側の処理の複雑度は増加されない。しかしながら、ネットワーク側装置にとって、一時点で、より多くのページング（ｐａｇｉｎｇ）メッセージを送信できるため、ページングを必要とするＵＥが多い場合、ページング（ｐａｇｉｎｇ）レイテンシを低下させることができる。なお、システムに設定されたメッセージを介して、関連情報を通知する場合、ネットワークは、現在のネットワークにおけるＵＥの状態に応じて、複数の関連情報を柔軟に設定して使用することで、複数のＵＥを区分することができる。
【００２９】
図１に示した技術的解決手段について、ＰＤＳＣＨの周波数領域リソースをスケジューリングすることで、ＵＥによるＰＤＳＣＨ受信に必要な周波数領域リソースのスケジューリングを実現させ、周波数領域リソースをより多く利用して時間リソースの需要を低下させ、ページングレイテンシを低下させることもできる。従って、前記方法は、設定したスケジューリングポリシーに応じて、前記ＰＤＳＣＨの周波数領域リソースをスケジューリングし、スケジューリング指示情報を生成することを更に含む。詳しくは、以下の幾つかの具体的な実現形態を非典型的、かつ例示的に含んでもよい。
【００３０】
具体的な実現形態１
ページングメッセージを搬送するＰＤＳＣＨ伝送の周波数領域帯域幅を最小帯域幅以下にスケジューリングし、ページングメッセージを搬送するＰＤＳＣＨ伝送の周波数領域位置を前記ターゲットＵＥの現在の最小周波数領域範囲内にスケジューリンし、前記スケジューリング指示情報を生成する。ここで、前記スケジューリング指示情報により指示されるＰＤＳＣＨの周波数領域帯域幅は最小帯域幅以下であり、且つ前記ＰＤＳＣＨの周波数領域位置は、前記ターゲットＵＥの現在の最小周波数領域範囲内にある。
【００３１】
図３に示すように、２つのＤＣＩで２つのＰＤＳＣＨをスケジューリングすることを例として、ＰＤＳＣＨの周波数領域帯域幅を最小帯域幅以下にスケジューリングすると、該最小帯域幅は、プロトコルに規定されている最小ＵＥ帯域幅であることが理解されるべきである。ページングメッセージを搬送するＰＤＳＣＨの周波数領域位置を前記ターゲットＵＥの現在の最小周波数領域範囲内にスケジューリングすると、全てのアイドルｉｄｌｅ状態にあるＵＥがｐａｇｉｎｇメッセージを直接受信できるようにすることができる。
【００３２】
しかしながら、５Ｇ／ＮＲシステムにおいて、ＵＥには、アイドルｉｄｌｅ状態及び接続ＣＯＮＮＥＣＴＥＤに加えて、非アクティブＩＮＡＣＴＩＶＥ状態が更に追加される。端末がＩＮＡＣＴＩＶＥ状態にある時、アクセスネットワークのみに接続されるが、コアネットワークに接続されない。従って、ページングを必要とするＵＥの全てが、ｉｄｌｅ状態にあるわけではないため、全てのターゲットＵＥの現在の帯域幅が最小ＵＥ帯域幅であるわけではない。これを踏まえて、以下の具体的な実現形態２及び具体的な実現形態３を提出する。
【００３３】
具体的な実現形態２
ページングメッセージを搬送するＰＤＳＣＨ伝送の周波数領域帯域幅を最小帯域幅以下にスケジューリングし、
ページングメッセージを搬送するＰＤＳＣＨ伝送の周波数領域位置のうちの一部の周波数領域位置を前記ターゲットＵＥの現在の最小周波数領域範囲内にスケジューリンし、前記ＰＤＳＣＨの周波数領域位置のうちの別の一部の周波数領域位置を前記ターゲットＵＥの現在の最小周波数領域範囲外にスケジューリングし、又は、前記ＰＤＳＣＨの周波数領域位置を前記ターゲットＵＥの現在の最小周波数領域範囲外にスケジューリングし、
前記スケジューリング指示情報を生成し、ここで、前記スケジューリング指示情報により指示される前記ＰＤＳＣＨの周波数領域帯域幅は前記最小帯域幅以下であり、且つ前記ＰＤＳＣＨの周波数領域位置のうちの一部の周波数領域位置は、前記ターゲットＵＥの現在の最小周波数領域範囲内にあり、前記ＰＤＳＣＨの周波数領域位置のうちの別の一部の周波数領域位置は、前記ターゲットＵＥの現在の最小周波数領域範囲外にあり、又は、指示される前記ＰＤＳＣＨの周波数領域帯域幅は最小帯域幅であり、且つ前記ＰＤＳＣＨの周波数領域位置は、前記ターゲットＵＥの現在の最小周波数領域範囲外にある。
【００３４】
更に、ターゲットＵＥの現在の帯域幅が最小帯域幅である時、ターゲットＵＥは、ＰＤＳＣＨを受信するために、自体の無線周波数ＲＦパラメータを調整ｔｕｎｅする必要がある。従って、ＲＦを調整してＰＤＳＣＨを復調するのに十分な時間をＵＥに持たせるために、所定の条件を満たす時間間隔をＤＩＣとＰＤＳＣＨとの間で設定する必要がある。従って、前記方法は、
設定した時間間隔設定ポリシーに応じて、前記ＤＣＩと前記ＰＤＳＣＨとの間の時間間隔を設定することを更に含み、これにより、前記ＤＣＩは、前記ＤＣＩと前記ＰＤＳＣＨとの間の時間間隔を指示することができる。
【００３５】
図４に示すように、ＰＤＣＣＨ＃１から伝送されるＤＣＩによりスケジューリングされるＰＤＳＣＨの周波数領域帯域幅は、最小帯域幅以下であり、且つ該ＰＤＳＣＨの周波数領域位置は、前記ターゲットＵＥの現在の最小周波数領域範囲外にある。ＰＤＣＣＨ＃３から伝送されるＤＣＩによりスケジューリングされるＰＤＳＣＨの周波数領域帯域幅は前記最小帯域幅であり、且つ前記ＰＤＳＣＨの周波数領域位置のうちの一部の周波数領域位置は、前記ターゲットＵＥの現在の最小周波数領域範囲内にあり、前記ＰＤＳＣＨの周波数領域位置のうちの別の一部の周波数領域位置は、前記ターゲットＵＥの現在の最小周波数領域範囲外にある。
【００３６】
本具体的な実現形態は、より多くの周波数領域リソースを利用することで、より多くの時間リソースの需要を低下させ、ｐａｇｉｎｇレイテンシを低下させることができる。
【００３７】
具体的な実現形態３
ページングメッセージを搬送する一部のＰＤＳＣＨ伝送の周波数領域帯域幅をターゲットＵＥの実際の帯域幅又は報告された帯域幅以下にスケジューリングする。
【００３８】
報告された帯域幅は、ＵＥから直接報告された対応可能な帯域幅情報であってもよい。例えば、ＵＥから直接報告された対応可能な帯域幅が２０ＭＨｚであると、ネットワーク側装置は、報告された帯域幅２０ＭＨｚ内でｐａｇｉｎｇメッセージを該ＵＥに送信する。ＵＥから報告された対応可能な帯域幅であってもよい。例えば、システムには伝送のための３種の帯域幅が規定されており、且つＢ１＜Ｂ２＜Ｂ３であるとすれば、ＵＥは、上記３種の帯域幅からＢ２を対応可能な帯域幅として報告することができることに留意されたい。
【００３９】
前記スケジューリング指示情報を生成する。ここで、前記スケジューリング指示情報により指示される前記一部のＰＤＳＣＨの周波数領域帯域幅はターゲットＵＥの実際の帯域幅又は報告された帯域幅以下である。
【００４０】
図５に示すように、ＰＤＣＣＨ＃１から伝送されるＤＣＩによりスケジューリングされるＰＤＳＣＨの帯域幅は、最小帯域幅を超えるが、ターゲットＵＥの実際の帯域幅又は報告された帯域幅以下である。実際の適用プロセスにおいて、多くのＵＥの帯域幅は最小帯域幅を超えるが、その実際の帯域幅又は報告された帯域幅を超えることがないことに留意されたい。前記一部のＰＤＳＣＨ伝送の周波数領域帯域幅はターゲットＵＥの実際の帯域幅又は報告された帯域幅以下にスケジューリングされることにより、このようなｐａｇｉｎｇ伝送をサポートするために、前記方法は、
前記ターゲットＵＥ的実際の帯域幅能力又はＵＥの対応可能な一部の帯域幅能力を他のネットワーク側装置とインタラクションすることを更に含む。本実施例のネットワーク側装置がｇＮＢである場合、他のネットワーク側装置は、コアネットワーク装置ネットワーク要素であってもよいことが理解されるべきである。
【００４１】
本実施例の技術的解決手段に関する説明によれば、同一の時点で複数のＤＣＩを送信する。単一のＤＣＩが、１つのｐａｇｉｎｇ  ｍｅｓｓａｇｅを搬送するために１つのみのＰＤＳＣＨを割り当てスケジューリングするが、該ｐａｇｉｎｇ  ｍｅｓｓａｇｅには、複数のＵＥに対するページング通知が依然として含まれると、同じ時間内で、現在のＬＴＥ関連技術よりも多くのユーザに通知できる。従って、ページングレイテンシを低下させることができる。なお、ＵＥを最小ＵＥ帯域幅範囲外にスケジューリングしてＰＤＳＣＨを受信し、ページングに使用可能な周波数領域リソースを増加させることにより、スケジューリング機会を増加させることで、ページングレイテンシを更に低下させることができる。
【００４２】
実施例２
前記実施例と同様な構想を踏まえ、本発明の実施例が提供する情報伝送方法を示す図６を参照すると、前記方法は、ユーザ装置（ＵＥ）に適用されるが、前記方法は、以下を含む。
【００４３】
Ｓ６０１において、自体の関連情報に基づいて、自体に対応するページングメッセージを受信する。
【００４４】
図６に示した技術的解決手段について、前記関連情報は、前記ＵＥに対応するＰ−ＲＮＴＩ、前記ＵＥに対応するＣＯＲＥＳＥＴ又は前記ＵＥに対応するサーチスペースのうちの少なくとも１つを含む。
【００４５】
具体的な実現プロセスにおいて、全てのＵＥは、自体の属性パラメータに応じて分類される。各ＵＥカテゴリに対して、Ｐ−ＲＮＴＩ、ＣＯＲＥＳＥＴ又はサーチスペースのような、対応する関連情報が存在する。例えば、ＵＥの属性パラメータは、ＵＥの識別子、ＵＥのカテゴリ、ＵＥの能力情報等のような、ＵＥを特定の分類ポリシーに応じて分類できるＵＥの属性パラメータのうちの少なくとも１つを含むことができる。これから分かるように、ＵＥと関連情報との対応関係は、単一の前記ＵＥについて、単一のＰ−ＲＮＴＩ、ＣＯＲＥＳＥＴ又はサーチスペースのみがそれに対応するという対応関係、単一のＰ−ＲＮＴＩ、ＣＯＲＥＳＥＴ又はサーチスペースについて、少なくとも１つのＵＥがそれに対応するという対応関係であってもよい。
【００４６】
上記ＵＥの関連情報に基づいて、ＵＥの関連情報を通知するプロセスを更に含むことができ、具体的には、
システムメッセージ、ブロードキャストメッセージ又はＲＭＳＩにより、対応するＰ−ＲＮＴＩ、ＣＯＲＥＳＥＴ又はサーチスペースを決定すること、
又は、システムメッセージ、ブロードキャストメッセージ又はＲＭＳＩにより、対応するＰ−ＲＮＴＩ、ＣＯＲＥＳＥＴ又はサーチスペースの候補セットを決定すること、
又は、専用シグナリングにより、対応するＰ−ＲＮＴＩ、ＣＯＲＥＳＥＴ又はサーチスペースを決定すること、
又は、専用シグナリングにより、対応するＰ−ＲＮＴＩ、ＣＯＲＥＳＥＴ又はサーチスペースの候補セットを決定すること、
又は、設定した通信プロトコルの規定に応じて、前記ＵＥに対応するＰ−ＲＮＴＩ又はＰ−ＲＮＴＩの候補セットを決定することを含む。
【００４７】
ＵＥは、自体に対応するＰ−ＲＮＴＩ、ＣＯＲＥＳＥＴ又はサーチスペースを候補セットから選択することができることが理解されるべきである。
【００４８】
図６に示した技術的解決手段について、具体的には、自体の関連情報に基づいて、自体に対応するページングメッセージを受信することは、
対応する関連情報に基づいて、対応する下り制御シグナリング（ＤＣＩ）を受信することと、
前記ＤＣＩに応じて、対応するＰＤＳＣＨを受信することと、
前記ＰＤＳＣＨからページングメッセージを取得することと、を含むことができる。
【００４９】
上記実現形態において、対応する関連情報に基づいて、対応する下り制御シグナリング（ＤＣＩ）を受信することは、
自体のページング時点（ＰＯ）で、自体の関連情報に基づいて、ネットワーク側から送信された対応するＤＣＩを検出し、対応するＤＣＩを受信することを含む。
【００５０】
前記実施例の技術的解決手段によれば、ネットワーク側がＰＤＳＣＨのリソースをスケジューリングするため、前記ＤＣＩで搬送されたＰＤＳＣＨのスケジューリング指示情報に応じて、前記ＤＣＩに対応するＰＤＳＣＨを受信するという具体的な実現プロセスは、以下の幾つかの具体的な実現形態を非典型的、かつ例示的に含むことができる。
【００５１】
具体的な実現形態１
最小帯域幅に応じて、前記ＵＥの現在の最小周波数領域範囲内で前記ＰＤＳＣＨを受信する。
【００５２】
具体的な実現形態２
最小帯域幅に応じて、前記ＵＥの現在の最小周波数領域範囲内及び前記ＵＥの現在の最小周波数領域帯域幅範囲外で前記ＰＤＳＣＨを受信し、
又は、最小帯域幅に応じて、前記ＵＥの現在の最小周波数領域範囲外で前記ＰＤＳＣＨを受信する。
【００５３】
更に、ＵＥの現在の帯域幅が最小ＵＥ帯域幅である時、ＵＥは、ＰＤＳＣＨを受信するために、自体の無線周波数ＲＦパラメータを調整ｔｕｎｅする必要がある。従って、ＲＦを調整してＰＤＳＣＨを復調するのに十分な時間をＵＥに持たせるために、所定の条件を満たす時間間隔をＤＩＣとＰＤＳＣＨとの間で設定する必要がある。従って、対応する関連情報に基づいて、対応する下り制御シグナリング（ＤＣＩ）を受信した後、前記方法は、
前記ＵＥの現在の帯域幅が最小周波数領域範囲内にある場合、前記ＰＤＳＣＨのスケジューリング指示情報により指示される時間間隔内で無線周波数（ＲＦ）を調整（ｔｕｎｅ）する。
【００５４】
具体的な実現形態３
自体の実際の帯域幅又は報告された帯域幅以下の帯域幅に応じて、一部のＰＤＳＣＨを受信する。
【００５５】
上記３つの具体的な実現形態は、前記実施例におけるＰＤＳＣＨリソーススケジューリングに関する３つの具体的な実現形態に対応し、本実施例において詳細な説明を省略することが理解されるべきである。
【００５６】
実施例３
前記実施例と同様な構想を踏まえ、本発明の実施例が提供するネットワーク側装置７０の構成を示す図７を参照すると、ネットワーク側装置７０は、ページングメッセージ送信を必要とする少なくとも１つターゲットユーザ装置（ＵＥ）の関連情報に基づいて、ページングメッセージを送信するように構成される送信部７０１を備え、前記関連情報が同じであるターゲットＵＥに対応するページングメッセージは、同一の物理下り共有チャネル（ＰＤＳＣＨ）で搬送される。
【００５７】
上記技術的解決手段において、前記ターゲットＵＥの関連情報は、前記ターゲットＵＥに対応するページング無線ネットワーク一時識別子（Ｐ−ＲＮＴＩ）、前記ターゲットＵＥに対応する制御リソースセット（ＣＯＲＥＳＥＴ）又は前記ターゲットＵＥに対応するサーチスペースのうちのいずれか１つを含む。
【００５８】
上記技術的解決手段において、前記送信部７０１は更に、システムメッセージ、ブロードキャストメッセージ又はＲＭＳＩを介して、対応するＰ−ＲＮＴＩ、ＣＯＲＥＳＥＴ又はサーチスペースをＵＥに通知し、
又は、システムメッセージ、ブロードキャストメッセージ又はＲＭＳＩを介して、対応するＰ−ＲＮＴＩ、ＣＯＲＥＳＥＴ又はサーチスペースの候補セットをＵＥに通知し、
又は、専用シグナリングを介して、対応するＰ−ＲＮＴＩ、ＣＯＲＥＳＥＴ又はサーチスペースをＵＥに通知し、
又は、専用シグナリングを介して、対応するＰ−ＲＮＴＩ、ＣＯＲＥＳＥＴ又はサーチスペースの候補セットをＵＥに通知し、
又は、設定した通信プロトコルの規定に応じて、ＵＥに対応するＰ−ＲＮＴＩ又はＰ−ＲＮＴＩの候補セットを決定するように構成される。
【００５９】
上記技術的解決手段において、前記送信部７０１は、
全てのページングメッセージにおいて、関連情報が同じであるターゲットＵＥに対応するページングメッセージを同一の物理下り共有チャネル（ＰＤＳＣＨ）で搬送し、前記ＰＤＳＣＨのそれぞれに対応する物理下り制御シグナリング（ＤＣＩ）が、ターゲットＵＥに対応する関連情報に対応するように構成される。
【００６０】
上記技術的解決手段において、前記送信部７０１は更に、設定したスケジューリングポリシーに応じて、前記ＰＤＳＣＨの周波数領域リソースをスケジューリングし、スケジューリング指示情報を生成するように構成される。
【００６１】
上記技術的解決手段において、前記送信部７０１は具体的には、ページングメッセージを搬送するＰＤＳＣＨ伝送の周波数領域帯域幅を最小帯域幅以下にスケジューリングし、
ページングメッセージを搬送するＰＤＳＣＨ伝送の周波数領域位置を前記ターゲットＵＥの現在の最小周波数領域範囲内にスケジューリンし、
前記スケジューリング指示情報を生成し、ここで、前記スケジューリング指示情報により指示されるＰＤＳＣＨの周波数領域帯域幅は最小帯域幅以下であり、且つ前記ＰＤＳＣＨの周波数領域位置は、前記ターゲットＵＥの現在の最小周波数領域範囲内にあるように構成される。
【００６２】
上記技術的解決手段において、前記送信部７０１は具体的には、
ページングメッセージを搬送するＰＤＳＣＨ伝送の周波数領域帯域幅を最小帯域幅以下にスケジューリングし、
ページングメッセージを搬送するＰＤＳＣＨ伝送の周波数領域位置のうちの一部の周波数領域位置を前記ターゲットＵＥの現在の最小周波数領域範囲内にスケジューリンし、前記ＰＤＳＣＨの周波数領域位置のうちの別の一部の周波数領域位置を前記ターゲットＵＥの現在の最小周波数領域範囲外にスケジューリングし、又は、前記ＰＤＳＣＨの周波数領域位置を前記ターゲットＵＥの現在の最小周波数領域範囲外にスケジューリングし、
前記スケジューリング指示情報を生成し、ここで、前記スケジューリング指示情報により指示される前記ＰＤＳＣＨの周波数領域帯域幅は前記最小帯域幅以下であり、且つ前記ＰＤＳＣＨの周波数領域位置のうちの一部の周波数領域位置は、前記ターゲットＵＥの現在の最小周波数領域範囲内にあり、前記ＰＤＳＣＨの周波数領域位置のうちの別の一部の周波数領域位置は、前記ターゲットＵＥの現在の最小周波数領域範囲外にあり、又は、前記ＰＤＳＣＨを指示するための周波数領域帯域幅は最小帯域幅であり、且つ前記ＰＤＳＣＨの周波数領域位置は、前記ターゲットＵＥの現在の最小周波数領域範囲外にあるように構成される。
【００６３】
上記技術的解決手段において、前記送信部７０１は更に、設定した時間間隔設定ポリシーに応じて、前記ＤＣＩと前記ＰＤＳＣＨとの間の時間間隔を設定するように構成され、これにより、前記ＤＣＩは、前記ＤＣＩと前記ＰＤＳＣＨとの間の時間間隔を指示することができる。
【００６４】
上記技術的解決手段において、前記送信部７０１は具体的には、ページングメッセージを搬送する一部のＰＤＳＣＨ伝送の周波数領域帯域幅をターゲットＵＥの実際の帯域幅又は報告された帯域幅にスケジューリングし、
前記スケジューリング指示情報を生成し、ここで、前記スケジューリング指示情報により指示される前記一部のＰＤＳＣＨの周波数領域帯域幅はターゲットＵＥの実際の帯域幅又は報告された帯域幅以下であるように構成される。
【００６５】
上記技術的解決手段において、前記送信部７０１は更に、前記ターゲットＵＥ的実際の帯域幅能力又は報告された帯域幅を他のネットワーク側装置とインタラクションするように構成される。
【００６６】
本実施例において、「一部」とは、一部の回路、一部のプロセッサ、一部のプログラム又はソフトウェア等を指してもよく、勿論、ユニットであっても、モジュールであってもよいし、モジュール化されていないものであってもよいことが理解されるべきである。
【００６７】
また、本実施例における各構成部分は一つの処理ユニットに集積されてもよいし、各ユニットが物理的に別個のものとして存在してもよいし、２つ以上のユニットが一つのユニットに集積されてもよい。上記集積したユニットは、はハードウェアの形で実現されてもよく、ソフトウェア機能モジュールの形で実現されてもよい。
【００６８】
前記集積したユニットはソフトウェア機能ユニットの形で実現され、かつ独立した製品として販売または使用されるとき、コンピュータにより読み取り可能な記憶媒体内に記憶されてもよい。このような理解のもと、本発明の技術的解決手段は、本質的に、又は、従来技術に対して貢献をもたらした部分又は該技術的解決手段の一部は、ソフトウェア製品の形式で具現することができ、このようなコンピュータソフトウェア製品は、記憶媒体に記憶しても良く、また、コンピュータ設備（パソコン、サーバ、又はネットワーク装置など）又はｐｒｏｃｅｓｓｏｒ（プロセッサ）に、本発明の実施例に記載の方法の全部又は一部のステップを実行させるための若干の命令を含む。前記の記憶媒体は、Ｕディスク、リムーバブルハードディスク、読み出し専用メモリ（ＲＯＭ：Ｒｅａｄ  Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、ディスク、又は光ディスクなど、プログラムコードを記憶可能な各種の媒体を含む。
【００６９】
従って、本実施例は、コンピュータ可読媒体を提供し、該コンピュータ可読媒体に情報伝送プログラムが記憶されており、前記情報伝送プログラムが少なくとも１つのプロセッサにより実行される場合、上記実施例１に記載の方法の工程を実現させる。
【００７０】
上記ネットワーク側装置７０及びコンピュータ可読媒体を踏まえ、本発明の実施例が提供するネットワーク側装置７０の具体的なハードウェア構成を示す図８を参照すると、第１ネットワークインタフェース８０１と、第１メモリ８０２と、第１プロセッサ８０３とを備えてもよく、各ユニットはバスシステム８０４を介して結合される。バスシステム８０４は、これらのユニットの間の接続と通信を実現するためのものであることが理解されるべきである。バスシステム８０４は、データバスに加えて、電源バス、制御バス及び状態信号バスを備える。明確に説明するために、図８において、様々なバスシステムをバスシステム８０４とする。ここで、第１ネットワークインタフェース８０１は、他の外部ネットワーク要素との情報送受信プロセスにおいて、信号を送受信するように構成され、
前記第１メモリ８０２は、前記第１プロセッサ８０３上で実行できるコンピュータプログラムを記憶するように構成され、
前記第１プロセッサ８０３は、前記コンピュータプログラムを実行する時に、
ページングメッセージ送信を必要とする少なくとも１つターゲットユーザ装置（ＵＥ）の関連情報に基づいて、ページングメッセージを送信し、前記関連情報が同じであるターゲットＵＥに対応するページングメッセージは、同一の物理下り共有チャネル（ＰＤＳＣＨ）で搬送されることを実行するように構成される。
【００７１】
理解すべき点として、本発明の実施例における第１メモリ８０２は、揮発性メモリ又は不揮発性メモリであってもよいし、揮発性メモリと不揮発性メモリの両方であってもよい。ここで、不揮発性メモリは、読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能なプログラマブル読み取り専用メモリ（ＥＰＲＯＭ：Ｅｒａｓａｂｌｅ  ＰＲＯＭ）、電気的消去可能なプログラマブル読み取り専用メモリ（ＥＥＰＲＯＭ：Ｅｌｅｃｔｒｉｃａｌｌｙ  ＥＰＲＯＭ）、又はフラッシュメモリであってもよい。揮発性メモリは、外部キャッシュとして用いられるランダムアクセスメモリ（ＲＡＭ：Ｒａｎｄｏｍ  Ａｃｃｅｓｓ  Ｍｅｍｏｒｙ）であってもよい。非限定的な例証として、ＲＡＭは、スタティックランダムアクセスメモリ（ＳＲＡＭ：Ｓｔａｔｉｃ  ＲＡＭ）、ダイナミックランダムアクセスメモリ（ＤＲＡＭ：Ｄｙｎａｍｉｃ  ＲＡＭ）、同期ダイナミックランダムアクセスメモリ（ＳＤＲＡＭ：Ｓｙｎｃｈｒｏｎｏｕｓ  ＤＲＡＭ）、ダブルデータレート同期ダイナミックランダムアクセスメモリ（ＤＤＲＳＤＲＡＭ：Ｄｏｕｂｌｅ  Ｄａｔａ  Ｒａｔｅ  ＳＤＲＡＭ）、エンハンスト同期ダイナミックランダムアクセスメモリ（ＥＳＤＲＡＭ：Ｅｎｈａｎｃｅｄ  ＳＤＲＡＭ）、同期リンクダイナミックランダムアクセスメモリ（ＳＬＤＲＡＭ：Ｓｙｎｃｈｌｉｎｋ  ＤＲＡＭ）及びダイレクトラムバスランダムアクセスメモリ（ＤＲＲＡＭ：Ｄｉｒｅｃｔ  Ｒａｍｂｕｓ  ＲＡＭ）などの多数の形態で使用可能である。本明細書に記載のシステム及び方法における第１メモリ８０２は、これら及び任意の他の適切な形態のメモリを含むが、これらに限定されない。
【００７２】
第１プロセッサ８０３は、信号処理能力を持つ集積回路チップであってもよい。実現プロセスにおいて、上記方法の各ステップは、第１プロセッサ８０３におけるハードウェアの集積論理回路又はソフトウェアの形の命令により完成することができることが理解されるべきである。上記第１プロセッサ８０３は、汎用プロセッサ、デジタル信号プロセッサ（Ｄｉｇｉｔａｌ  Ｓｉｇｎａｌ  Ｐｒｏｃｅｓｓｏｒ：ＤＳＰ）、特定用途向け集積回路（Ａｐｐｌｉｃａｔｉｏｎ  Ｓｐｅｃｉｆｉｃ  Ｉｎｔｅｒｇｒａｔｅｄ  Ｃｉｒｃｕｉｔ：ＡＳＩＣ）、現場でプログラム可能なゲートアレイ（Ｆｉｅｌｄ  Ｐｒｏｇｒａｍｍａｂｌｅ  Ｇａｔｅ  Ａｒｒａｙ：ＦＰＧＡ）又は他のプログラマブルロジックデバイス、ディスクリートゲート又はトランジスタロジックデバイス、ディスクリートハードウェアコンポーネント等であってもよい。本発明の実施例に開示されている各方法、ステップ及び論理ブロック図を実現又は実行することができる。汎用プロセッサはマイクロプロセッサであってもよいし、該プロセッサは如何なる従来のプロセッサ等であってもよい。本発明の実施例に開示されている方法のステップを結合して、ハードウェア解読プロセッサによって完成し、又は解読プロセッサ内のハードウェアとソフトウェアモジュールとの組み合わせで実行して完成するように示す。ソフトウェアモジュールは、ランダムアクセスメモリ、フラッシュメモリ、読み取り専用メモリ、プログラマブル読み取り専用メモリ又は電気的消去プログラム可能なメモリ、レジスタ等の本分野の従来の記憶媒体内に存在してもよい。該記憶媒体は第１メモリ８０２内に位置し、第１プロセッサ８０３は第１メモリ８０２中の情報を読み取り、そのハードウェアと共に上記方法のプロセスを完了する。
【００７３】
本明細書に記載のこれらの実施例は、ハードウェア、ソフトウェア、ファームウェア、ミドルウェア、マイクロコード又はその組み合わせにより実現される。ハードウェアによる実現において、処理ユニットは、１つ又は複数の特定用途向け集積回路（Ａｐｐｌｉｃａｔｉｏｎ  Ｓｐｅｃｉｆｉｃ  Ｉｎｔｅｒｇｒａｔｅｄ  Ｃｉｒｃｕｉｔ：ＡＳＩＣ）、デジタル信号プロセッサ（Ｄｉｇｉｔａｌ  Ｓｉｇｎａｌ  Ｐｒｏｃｅｓｓｉｎｇ：ＤＳＰ）、デジタル信号処理装置（ＤＳＰ  Ｄｅｖｉｃｅ：ＤＳＰＤ）、プログラマブルロジックデバイス（Ｐｒｏｇｒａｍｍａｂｌｅ  Ｌｏｇｉｃ  Ｄｅｖｉｃｅ：ＰＬＤ）、現場でプログラム可能なゲートアレイ（Ｆｉｅｌｄ−Ｐｒｏｇｒａｍｍａｂｌｅ  Ｇａｔｅ  Ａｒｒａｙ：ＦＰＧＡ）、汎用プロセッサ、コントローラ、マイクロコントローラ、マイクロプロセッサ、本出願に記載の機能を実行するための他の電子ユニット又はその組み合わせにより実現される。
【００７４】
ソフトウェアによる実現において、本明細書に記載の機能のモジュール（例えば、プロセス、関数など）を実行することで本明細書に記載の技術を実現させることができる。ソフトウェアコードはメモリに記憶され、プロセッサにより実行される。メモリは、プロセッサ内又はプロセッサの外部で実現される。
【００７５】
具体的には、ネットワーク側装置７０における第１プロセッサ８０３は更に、前記コンピュータプログラムを実行する時、前記実施例１に記載の方法の工程を実行するように構成され、ここで説明を省略する。
【００７６】
実施例４
前記実施例と同様な構想を踏まえ、本発明の実施例が提供するユーザ装置（ＵＥ）９０の構成を示す図９を参照すると、自体の関連情報に基づいて、自体に対応するページングメッセージを受信するように構成される受信部９０１を備える。
【００７７】
上記技術的解決手段において、前記関連情報は、前記ＵＥに対応するＰ−ＲＮＴＩ、前記ＵＥに対応するＣＯＲＥＳＥＴ又は前記ＵＥに対応するサーチスペースのうちの少なくとも１つを含む。
【００７８】
上記技術的解決手段において、前記受信部９０１は更に、
システムメッセージ、ブロードキャストメッセージ又はＲＭＳＩにより、対応するＰ−ＲＮＴＩ、ＣＯＲＥＳＥＴ又はサーチスペースを決定し、
又は、システムメッセージ、ブロードキャストメッセージ又はＲＭＳＩにより、対応するＰ−ＲＮＴＩ、ＣＯＲＥＳＥＴ又はサーチスペースの候補セットを決定し、
又は、専用シグナリングにより、対応するＰ−ＲＮＴＩ、ＣＯＲＥＳＥＴ又はサーチスペースを決定し、
又は、専用シグナリングにより、対応するＰ−ＲＮＴＩ、ＣＯＲＥＳＥＴ又はサーチスペースの候補セットを決定し、
又は、設定した通信プロトコルの規定に応じて、前記ＵＥに対応するＰ−ＲＮＴＩ又はＰ−ＲＮＴＩの候補セットを決定するように構成される。
【００７９】
上記技術的解決手段において、前記受信部９０１は具体的には、
対応する関連情報に基づいて、対応する下り制御シグナリング（ＤＣＩ）を受信し、
前記ＤＣＩに応じて、対応するＰＤＳＣＨを受信し、
前記ＰＤＳＣＨからページングメッセージを取得するように構成される。
【００８０】
上記技術的解決手段において、前記受信部９０１は具体的には、
自体のページング時点（ＰＯ）で、自体の関連情報に基づいて、ネットワーク側から送信された対応するＤＣＩを検出し、対応するＤＣＩを受信するように構成される。
【００８１】
上記技術的解決手段において、前記受信部９０１は具体的には、
前記ＤＣＩで搬送されたＰＤＳＣＨのスケジューリング指示情報に応じて、前記ＤＣＩに対応するＰＤＳＣＨを受信するように構成される。
【００８２】
上記技術的解決手段において、前記受信部９０１は具体的には、最小帯域幅に応じて、前記ＵＥの現在の最小周波数領域範囲内で前記ＰＤＳＣＨを受信するように構成される。
【００８３】
上記技術的解決手段において、前記受信部９０１は具体的には、最小帯域幅に応じて、前記ＵＥの現在の最小周波数領域範囲内及び前記ＵＥの現在の最小周波数領域帯域幅範囲外で前記ＰＤＳＣＨを受信し、
又は、最小帯域幅に応じて、前記ＵＥの現在の最小周波数領域範囲外で前記ＰＤＳＣＨを受信するように構成される。
【００８４】
上記技術的解決手段において、前記受信部９０１は更に、
前記ＵＥの現在の帯域幅が最小周波数領域範囲内にある場合、前記ＰＤＳＣＨのスケジューリング指示情報により指示される時間間隔内で無線周波数（ＲＦ）を調整（ｔｕｎｅ）するように構成される。
【００８５】
上記技術的解決手段において、前記受信部９０１は具体的には、自体の実際の帯域幅又は報告された帯域幅以下の帯域幅に応じて、一部のＰＤＳＣＨを受信するように構成される。
【００８６】
また、本実施例は、コンピュータ可読媒体を提供し、該コンピュータ可読媒体に情報伝送プログラムが記憶されており、前記情報伝送プログラムが少なくとも１つのプロセッサにより実行される場合、上記実施例２に記載の情報伝送方法の工程を実現させる。コンピュータ可読媒体に関する具体的な説明は実施例３における説明を参照されたい。ここで詳細な説明を省略する。
【００８７】
上記ユーザ装置（ＵＥ）９０の構成及びコンピュータ可読媒体を踏まえ、本発明の実施例が提供するＵＥ９０の具体的なハードウェア構成を示す図１０を参照すると、第２ネットワークインタフェース１００１と、第２メモリ１００２と、第２プロセッサ１００３とを備えてもよく、各ユニットはバスシステム１００４を介して結合される。バスシステム１００４は、これらのユニットの間の接続と通信を実現するためのものであることが理解されるべきである。バスシステム１００４は、データバスに加えて、電源バス、制御バス及び状態信号バスを備える。明確に説明するために、図１０において、様々なバスシステムをバスシステム１００４とする。ここで、前記第２ネットワークインタフェース１００１は、他の外部ネットワーク要素との情報送受信プロセスにおいて、信号を送受信するように構成され、
第２メモリ１００２は、前記第２プロセッサ１００３上で実行できるコンピュータプログラムを記憶するように構成され、
第２プロセッサ１００３は、前記コンピュータプログラムを実行する時に、
自体の関連情報に基づいて、自体に対応するページングメッセージを受信することを実行するように構成される。
【００８８】
本実施例におけるＵＥ９０の具体的なハードウェア構成における構成部分は、実施例３における対応する部分と類似しており、ここで詳細な説明を省略する。
【００８９】
具体的には、ＵＥ９０における第２プロセッサ１００３は更に、前記コンピュータプログラムを実行する時、前記実施例２に記載の方法の工程を実行するように構成され、ここで詳細な説明を省略する。
【００９０】
当業者は、本発明の実施例が方法、システム、またはコンピュータプログラム製品として提供されることができると理解すべきである。従って、本発明は、ハードウェア実施例、ソフトウェア実施例、またはソフトウェアとハードウェアとを組み合わせる実施例の形式を採用して可能である。且つ、本発明は、コンピュータ使用可能プログラムコードが含まれる１つ以上のコンピュータ使用可能な記憶媒体（ディスクメモリと光メモリなどを含むがこれらに限られない）で実施されるコンピュータプログラム製品の形態を採用することができる。
【００９１】
本発明は、本発明の実施例に基づく方法、装置（システム）及びコンピュータプログラム製品のフローチャート及び／又はブロック図を参照して説明されたものである。コンピュータプログラム命令によりフローチャート及び／又はブロック図における各フロー及び／又はブロック、及びフローチャート及び／又はブロック図における各フロー及び／又はブロックの組み合わせを実現することができることが理解されるべきである。これらのコンピュータプログラム命令を汎用コンピュータ、専用コンピュータ、埋め込みプロセッサ又は他のプログラマブルデータ処理装置のプロセッサへ提供することで機器を構成する。それによって、コンピュータまたは他のプログラマブルデータ処理装置のプロセッサによって実行する命令が、フローチャートにおける１つのフロー又は複数のフロー及び／又はブロック図における１つのブロック又は複数のブロックで指定された機能を実現させるための装置を構成する。
【００９２】
これらのコンピュータプログラム命令は、コンピュータ又は他のプログラマブルデータ処理装置を所定の方式で動作させるように指示することができるコンピュータ可読メモリに記憶されてもよく。これにより該コンピュータ可読メモリに記憶されている命令により、命令装置を備える製品を構成し、該命令装置は、フローチャートにおける１つのフロー又は複数のフロー及び／又はブロック図における１つのブロック又は複数のブロックで指定された機能を実現させる。
【００９３】
これらのコンピュータプログラム命令は、コンピュータ又は他のプログラマブルデータ処理装置にインストールされてもよい。これにより、コンピュータ又は他のプログラマブルデータ処理装置上で一連の操作を実行してコンピュータにより実行される処理を生成する。これによりコンピュータ又は他のプログラマブルデータ処理装置上で実行される指令により、フローチャートにおける１つのフロー又は複数のフロー及び／又はブロック図における１つのブロック又は複数のブロックで指定された機能を実現させるための工程を提供する。
【００９４】
以上は、本発明の好適な実施例に過ぎず、本発明の保護範囲を限定するものではない。
【産業上の利用可能性】
【００９５】
本発明の実施例において、同一の時点で複数のＤＣＩを送信する。単一のＤＣＩが、１つのｐａｇｉｎｇ  ｍｅｓｓａｇｅを搬送するために１つのみのＰＤＳＣＨを割り当てスケジューリングするが、該ｐａｇｉｎｇ  ｍｅｓｓａｇｅには、複数のＵＥに対するページング通知が依然として含まれると、同じ時間内で、現在のＬＴＥ関連技術よりも多くのユーザに通知できる。従って、ページングレイテンシを低下させることができる。なお、ＵＥを最小ＵＥ帯域幅範囲外にスケジューリングしてＰＤＳＣＨを受信し、ページングに使用可能な周波数領域リソースを増加させることにより、スケジューリング機会を増加させることで、ページングレイテンシを更に低下させることができる。
【図１】
2021503745.tif 000003
【図２】
2021503745.tif 000004
【図３】
2021503745.tif 000005
【図４】
2021503745.tif 000006
【図５】
2021503745.tif 000007
【図６】
2021503745.tif 000008
【図７】
2021503745.tif 000009
【図８】
2021503745.tif 000010
【図９】
2021503745.tif 000011
【図１０】
2021503745.tif 000012
【手続補正書】
【提出日】令和2年9月30日(2020.9.30)
【手続補正１】
【補正対象書類名】特許請求の範囲
【補正対象項目名】全文
【補正方法】変更
【補正の内容】
【特許請求の範囲】
【請求項１】
ユーザ装置（ＵＥ）に適用される情報伝送方法であって、
自体の関連情報に基づいて、自体に対応するページングメッセージを受信することを含み、
前記関連情報は、
前記ユーザ装置に対応するＰ−ＲＮＴＩ、前記ユーザ装置に対応するＣＯＲＥＳＥＴ及び前記ユーザ装置に対応するサーチスペースのうちの少なくとも１つを含むことを特徴とする、前記情報伝送方法。
【請求項２】
前記情報伝送方法は、
専用シグナリングにより、対応するＣＯＲＥＳＥＴ又はサーチスペースを決定すること、
又は、設定した通信プロトコルの規定に応じて、前記ユーザ装置に対応するＰ−ＲＮＴＩを決定することを更に含むことを特徴とする
請求項１に記載の情報伝送方法。
【請求項３】
前記自体の関連情報に基づいて、自体に対応するページングメッセージを受信することは、
対応する関連情報に基づいて、対応する下り制御シグナリング（ＤＣＩ）を受信することと、
前記ＤＣＩに応じて、対応するＰＤＳＣＨを受信することと、
前記ＰＤＳＣＨからページングメッセージを取得することと、を含むことを特徴とする
請求項１又は２に記載の情報伝送方法。
【請求項４】
前記対応する関連情報に基づいて、対応する下り制御シグナリング（ＤＣＩ）を受信することは、
自体のページング時点（ＰＯ）で、自体の関連情報に基づいて、ネットワーク側から送信された対応するＤＣＩを検出し、対応するＤＣＩを受信することを含むことを特徴とする
請求項３に記載の情報伝送方法。
【請求項５】
前記ＤＣＩに応じて、対応するＰＤＳＣＨを受信することは、
前記ＤＣＩで搬送されるＰＤＳＣＨのスケジューリング指示情報に応じて、前記ＤＣＩに対応するＰＤＳＣＨを受信することを含むことを特徴とする
請求項３又は４に記載の情報伝送方法。
【請求項６】
前記ＤＣＩで搬送されるＰＤＳＣＨのスケジューリング指示情報に応じて、前記ＤＣＩに対応するＰＤＳＣＨを受信することは、
最小帯域幅に応じて、前記ユーザ装置の現在の最小周波数領域範囲内及び前記ユーザ装置の現在の最小周波数領域帯域幅範囲外で前記ＰＤＳＣＨを受信すること、
又は、最小帯域幅に応じて、前記ユーザ装置の現在の最小周波数領域範囲外で前記ＰＤＳＣＨを受信することを含むことを特徴とする
請求項５に記載の情報伝送方法。
【請求項７】
前記ＤＣＩは、前記ＤＣＩと前記ＰＤＳＣＨとの間の時間間隔を指示するように構成され、前記ＤＣＩと前記ＰＤＳＣＨとの間の時間間隔は、時間間隔設定ポリシーに応じて設定されることを特徴とする
請求項３〜６のいずれか一項に記載の情報伝送方法。
【請求項８】
ユーザ装置（ＵＥ）であって、
自体の関連情報に基づいて、自体に対応するページングメッセージを受信するように構成される受信部を備え、
前記関連情報は、
前記ユーザ装置に対応するＰ−ＲＮＴＩ、前記ユーザ装置に対応するＣＯＲＥＳＥＴ及び前記ユーザ装置に対応するサーチスペースのうちの少なくとも１つを含むことを特徴とする、前記ユーザ装置。
【請求項９】
前記受信部は更に、
専用シグナリングにより、対応するＣＯＲＥＳＥＴ又はサーチスペースを決定することを実行するように構成されることを特徴とする
請求項８に記載のユーザ装置。
【請求項１０】
前記受信部は更に、
設定した通信プロトコルの規定に応じて、前記ユーザ装置に対応するＰ−ＲＮＴＩを決定することを実行するように構成されることを特徴とする
請求項８に記載のユーザ装置。
【請求項１１】
前記受信部は具体的には、
対応する関連情報に基づいて、対応する下り制御シグナリング（ＤＣＩ）を受信することと、
前記ＤＣＩに応じて、対応するＰＤＳＣＨを受信することと、
前記ＰＤＳＣＨからページングメッセージを取得することと、を実行するように構成されることを特徴とする
請求項８〜１０のいずれか一項に記載のユーザ装置。
【請求項１２】
前記受信部は具体的には、
自体のページング時点（ＰＯ）で、自体の関連情報に基づいて、ネットワーク装置から送信された対応するＤＣＩを検出し、対応するＤＣＩを受信するように構成されることを特徴とする
請求項１１に記載のユーザ装置。
【請求項１３】
前記受信部は具体的には、
前記ＤＣＩで搬送されるＰＤＳＣＨのスケジューリング指示情報に応じて、前記ＤＣＩに対応するＰＤＳＣＨを受信するように構成されることを特徴とする
請求項１１又は１２に記載のユーザ装置。
【請求項１４】
前記受信部は具体的には、
最小帯域幅に応じて、前記ユーザ装置の現在の最小周波数領域範囲内及び前記ユーザ装置の現在の最小周波数領域帯域幅範囲外で前記ＰＤＳＣＨを受信すること、
又は、最小帯域幅に応じて、前記ユーザ装置の現在の最小周波数領域範囲外で前記ＰＤＳＣＨを受信することを実行するように構成されることを特徴とする
請求項１３に記載のユーザ装置。
【請求項１５】
前記ＤＣＩは、前記ＤＣＩと前記ＰＤＳＣＨとの間の時間間隔を指示するように構成され、前記ＤＣＩと前記ＰＤＳＣＨとの間の時間間隔は、時間間隔設定ポリシーに応じて設定されることを特徴とする
請求項１１〜１４のいずれか一項に記載のユーザ装置。
【国際調査報告】
2021503745.tif 000013
2021503745.tif 000014
2021503745.tif 000015
2021503745.tif 000016
2021503745.tif 000017